(57)【要約】【課題】  故人への追悼の意や葬儀に参列等した会葬者への感謝の意を尊重しつつ、これと併せて葬儀に係る収支をも正確に把握することができる葬祭用記録簿を提供する。【解決手段】  故人の氏名・生年月日・没年月日・遺影等からなる故人情報と、通夜・告別式の場所・年月日・時刻等からなる葬儀情報と、会葬者の氏名または名称・住所等が記帳された会葬者情報と、香典または花料の有無と拝受者の氏名または名称・住所・金額等を記録した香典情報と、弔電の有無と拝受者の氏名・住所等を記録した弔電情報と、献花の有無と拝受者の氏名または名称・住所・金額等を記録した献花情報と、会葬者の名刺を管理する名刺情報と、適宜メモ欄を具備し、写真を管理する写真情報と、葬祭中の支出等を記録した会計情報とを一つにファイリングした。また、各情報を加除式のバインダーとして１冊のアルバムにファイリングした。【選択図】        図１
2005235092.tif 000002
【特許請求の範囲】
【請求項１】
故人の氏名・生年月日・没年月日・遺影等からなる故人情報と、通夜・告別式の場所・年月日・時刻等からなる葬儀情報と、会葬者の氏名または名称・住所等が記帳された会葬者情報と、香典または花料の有無と拝受者の氏名または名称・住所・金額等を記録した香典情報と、弔電の有無と拝受者の氏名・住所等を記録した弔電情報と、献花の有無と拝受者の氏名または名称・住所・金額等を記録した献花情報と、会葬者の名刺を管理する名刺情報と、適宜メモ欄を具備し、写真を管理する写真情報と、葬祭中の支出等を記録した会計情報とを一つにファイリングしたことを特徴とする葬祭用記録簿。
【請求項２】
ファイリングする情報には、初七日・四十九日・一周忌など、葬儀後の法事に関する場所・年月日・時刻等の法事情報を含む請求項１記載の葬祭用記録簿。
【請求項３】
各情報を加除式のバインダーとして１冊のアルバムにファイリングした請求項１または２記載の葬祭用記録簿。
【請求項４】
表紙を黒・紺・白・紫またはピンク地とし、該表紙に葬儀控えあるいはメモリーアルバムのタイトルを付した請求項３記載の葬祭用記録簿。
【請求項５】
故人情報は故人の遺影をミシン目で切り離し可能な頁を含む請求項１から４のうち何れか一項記載の葬祭用記録簿。
【請求項６】
各情報を電子化して一つの記録媒体に保存してなる請求項１記載の葬祭用記録簿。
【発明の詳細な説明】
【技術分野】
【０００１】
この発明は、葬儀に関する故人情報や会葬者情報並びにこれに係る収支情報、さらには葬儀後の法事情報までも一括で整理・管理することができる葬祭用記録簿に関するものである。
【背景技術】
【０００２】
従来、葬儀においては、会葬者の芳名帳や香典帳、弔電が別々に管理され、その内容を正確に整合することが困難な実状にある。
【０００３】
そこで、例えば特許文献１には、葬儀において記入された香典帳に基づき、葬儀関係事項や法事関係事項を１冊の本として整理・保管しておくことができ、葬儀後の返贈品もしくは次の回忌のときのための通信資料としても利用できる葬儀記録名簿帳が開示されている。
【０００４】
【特許文献１】特開２０００−１７７２７６号公報
【発明の開示】
【発明が解決しようとする課題】
【０００５】
しかしながら、上記先行技術に係る葬儀記録名簿帳は、香典・献花・弔電・一周忌案内の有無を管理するに留まり、喪主や葬儀開催者側の支出に関する情報が全く管理されないなど会計簿としての機能はなく、それ一つで葬儀関連を一括管理できる完全な記録簿とは言えなかったのである。
【０００６】
本発明では、こうした課題を解決するためになされたものであり、その目的とするところは、故人への追悼の意や葬儀に参列等した会葬者への感謝の意を尊重しつつ、これと併せて葬儀に係る収支をも正確に把握することができる葬祭用記録簿を提供することである。
【課題を解決するための手段】
【０００７】
上述した目的を達成するために本発明では、故人の氏名・生年月日・没年月日・遺影等からなる故人情報と、通夜・告別式の場所・年月日・時刻等からなる葬儀情報と、会葬者の氏名または名称・住所等が記帳された会葬者情報と、香典・花料または献花の有無と拝受者の氏名または名称・住所・金額等を記録した香典情報と、弔電の有無と拝受者の氏名・住所等を記録した弔電情報と、会葬者の名刺を管理する名刺情報と、適宜メモ欄を具備し、写真を管理する写真情報と、葬祭中の支出等を記録した会計情報とを一つにファイリングするという手段を用いた。故人情報は本記録簿の主要情報として故人を尊重する内容が記される。葬儀情報は葬儀前において親戚や友人など故人と縁のある者への案内状送付に役立つ。会葬者情報は、従来の芳名帳と同様の機能を持つ。香典情報もまた、従来の香典帳と同様の機能を持つ。弔電情報は葬儀に参列できなかったが、弔意を電報にて拝受した者の情報を葬儀開催者や喪主側が記すもので、会葬者情報と同じく、後に返贈品や法事のための通信欄として機能する。名刺情報は会葬者の名刺を管理するものであり、例えばその名刺に係る会葬者がある者の代理であった場合でも、これを正確に管理することができる。写真情報は任意の写真を管理し、適宜メモ欄にその写真に関する説明等を付すことによって、故人や葬儀をビジュアル的に回想することができる。そして、会計情報は葬儀中にかかった費用（葬儀代、お布施など）を記録する機能を持ち、請求書や領収書などもここに記録される。
【０００８】
なお、上述した情報は本発明に不可欠なものであって、言い換えれば必要最低限の情報を列挙したに過ぎない。従って、上記以外の情報も適宜追加することができることはもちろんであり、ファイリングする情報には、初七日・四十九日・一周忌など法事に関する場所・年月日・時刻等の法事情報を含む場合もある。さらに故人情報は故人の遺影をミシン目で切り離し可能な頁を含む場合もある。
【０００９】
また、ファイリングの方法は、後述するように電子化することも可能であるが、各情報を加除式のバインダーとして１冊のアルバムにファイリングすることもある。
【００１０】
また、アルバム式でファイリングする場合、その表紙を黒・紺・白・紫またはピンク地とし、該表紙に葬儀控えあるいはメモリーアルバムのタイトルを付すこともある。
【００１１】
さらに、別のファイリング方法として、各情報を電子化して一つの記録媒体に保存するという手段も用いる。
【発明の効果】
【００１２】
上述のように本発明では、故人情報、葬儀情報、会葬者情報、香典情報、弔電情報、名刺情報、写真情報と、さらには葬祭中の支出等を記録した会計情報とを一つにファイリングしたので、葬儀に関する情報を総括的に管理することができる。特に、曖昧がちになりやすい支出についても管理できるので、より使い勝手のよい葬祭用記録簿とすることができた。
【００１３】
また、ファイリングする情報に法事情報を含めることによって、故人を偲ぶ気持ちを損なわず、また、法事案内も正確且つ容易に行えるなど、きめ細かい管理が可能となる。
【００１４】
さらに、各情報を加除式のバインダーとして１冊のアルバムにファイリングすることによって、葬祭記録を普段慣れ親しんだアルバムとして管理することができ、システマチックでありながら、故人や会葬者への念もこもったものとすることができる。
【００１５】
さらにまた、アルバムの表紙を黒・紺・白・またはピンク地とし、該表紙に葬儀控えあるいはメモリーアルバムのタイトルを付すことで、他のアルバムとの区別を容易にし、また装飾性も兼ね備えるから、霊前へのお供えとしても使用することができ、また遺族らにとっても故人を回想する１冊として、末永く利用することができる。
【００１６】
一方、各情報を電子化して一つの記録媒体に保存することによって、パソコンやワープロなどによるデータの入力・編集でき、他のソフトと連携することによって、葬儀や法事案内の作成から会計処理までも容易に行うことができる。
【発明を実施するための最良の形態】
【００１７】
以下、本発明の好ましい実施の形態を添付した図面に従って説明する。図１は本発明に係る葬祭用記録簿を各情報毎に分解したもので、１は背表紙に「葬儀控え」のタイトルを付したアルバム本体、２は故人情報台帳、３は葬儀情報台帳、４は会葬者情報台帳、５は香典情報台帳、６は弔電情報台帳、７は名刺情報台帳、８は写真情報台帳、そして９は会計情報台帳である。２〜８の各台帳は加除式のバインダーとして１冊のアルバム本体１に綴じ込まれる。アルバム本体１は、表紙を黒・紺・白・紫またはピンク地とすることによって、装飾性を付与することができる。もちろん、その材質は問わず、布地としたり、刺繍などの別の装飾を施すことで重厚感を増すこともできる。また、タイトルも「葬儀控え」に限らず、「メモリーアルバム（ＭＥＭＯＲＹ  ＡＬＢＵＭ）」など、別のものとすることができる。
【００１８】
各台帳について実施形態を説明すると、先ず故人情報台帳２は、故人のプロフィールを記すもので、遺影と共に、キリスト教の場合、洗礼名、氏名、生年月日、受礼年月日とその場所、召天（帰天）の年月日と時刻などが記される。仏式の場合、洗礼名や氏名、召天（帰天）の年月日と時刻が、戒名、俗名、没年月日と記される。遺影はミシン面でそのページから切り離し可能とすることもある。
【００１９】
葬儀情報台帳３は、通夜や告別式に関し、少なくともその開催場所・年月日・時刻が記される。また、会葬者情報台帳４には、従来のご芳名帳と同じく、会葬者の氏名または名称・住所の記帳欄を設けておく。さらに、香典情報台帳５には、少なくとも香典・花料または献花の有無と拝受者の氏名または名称・住所・金額を記す欄を設けておく。なお、香典情報台帳５は、香典、花料、献花夫々について、別個独立に用意してもよい。
【００２０】
弔電情報台帳６は、少なくとも弔電の有無と拝受者の氏名・住所を記録可能にしておく。また、名刺情報台帳７は、会葬者の名刺を差し込むことができるポケット式のクリアファイルからなる。さらに、写真情報台帳８は、左欄または右欄にメモ欄を設け、写真を差し込むポケット式、あるいは台紙とフィルム間に挟み込むことができるカバー式とする。
【００２１】
会計情報台帳９は、この実施形態の場合、請求書や領収書など、支出に関する書類を差し込むことができるクリアファイルからなる。この台帳９に葬祭中にかかった費用に関する書類を綴じ込むことによって、別途支出帳や会計簿などで支出管理を正確に行うことができる。なお、この会計情報台帳９は、支出に関する勘定項目を記した会計簿も上記クリアファイルと同時に使用することができる。
【００２２】
以上、本発明に必要な情報とその台帳構成を一実施形態として説明したが、この他、ファイリングする情報には、初七日・四十九日・一周忌など法事に関する場所・年月日・時刻等の法事情報を含むことができる。この法事情報も、上記各情報と同じくバインダー式としてアルバム本体１に綴じ込むことができる。その構成は、葬儀情報と同じ要領で作成される。また、会葬者情報などに基づいて、葬儀後の法事案内も作成することができる。
【００２３】
一方、これら情報を電子化して保存する場合は、パソコンなどの情報端末を用い、故人情報、葬儀情報、会葬者情報、香典情報、弔電情報、会計情報、法事情報などはワープロソフトや表計算ソフトなどで作成することによって、また名刺情報や写真情報などはスキャナーによりイメージを取り込むことによって、一つのファイルとしてフレキシブルディスクやハードディスク、コンパクトディスク、ＤＶＤなどの電子記録媒体に保存することができる。
【図面の簡単な説明】
【００２４】
【図１】本発明の一実施形態に係る葬祭用記録簿の分解説明図
【符号の説明】
【００２５】
１  アルバム本体
２  故人情報台帳
３  葬儀情報台帳
４  会葬者情報台帳
５  香典情報台帳
６  弔電情報台帳
７  名刺情報台帳
８  写真情報台帳
９  会計情報台帳
【図１】
2005235092.tif 000003